(57)【要約】【課題】  商品をそのまま入れたり、包んだりするだけで緩衝効果があり、更に、宛名ラベルを用いることなく、緩衝材の表面側に宛先情報などの個人情報が表示することができるようにして、資源の無駄使いや環境保護を促進し、自然環境にやさしい情報表示機能付き緩衝材を提供する。【解決手段】  表面に個人情報などが表示された情報表示部を有するシート状基材と、シート状の基材が繰り返し折り曲げられ規則的な凹凸部が形成され、更に前記凸部の頂点を中心とした近傍に平面部が形状されている緩衝用部材とを有し、前記緩衝用部材の上側に前記シート状基材が重ね合わされ、前記シート状基材の裏面側と前記緩衝用部材の前記平面部の上面とが剥離可能に接着されていることを特徴とする。【選択図】        図1
2008100758.tif 000002
【特許請求の範囲】
【請求項１】
表面に個人情報などが表示された情報表示部を有するシート状基材と、
シート状の基材が繰り返し折り曲げられ規則的な凹凸部が形成され、更に前記凸部の頂点を中心とした近傍に平面部が形状されている緩衝用部材とを有し、
前記緩衝用部材の上側に前記シート状基材が重ね合わされ、前記シート状基材の裏面側と前記緩衝用部材の前記平面部の上面とが剥離可能に接着されていることを特徴とする個人情報表示緩衝材。
【請求項２】
前記シート状基材と前記緩衝用部材とが、天然パルプを原料とする紙、又は、自然環境内で分解性を有する合成樹脂フィルムであることを特徴とする請求項１記載の個人情報表示緩衝材。
【発明の詳細な説明】
【技術分野】
【０００１】
本発明は、商品を宅配便などで輸送や配送する際に、それらの配送品である商品を落としたり、ぶつけたりなどした場合でも商品が破損されるのを防止するための緩衝材であって、特に、緩衝材で配送品を包み込んだ際に、その外側に個人情報が目視可能に表示されている情報表示機能付き緩衝材に関する。
【背景技術】
【０００２】
従来、通信販売会社では、宅配便を利用して大量の商品を注文者である顧客まで届けている。
これらの商品を宅配便で配送する際に必要な物として、商品、段ボール箱や封筒、納品明細書や払込票、配送伝票などがある。
例えば、配送する商品が、家具のようなサイズの大きな商品である場合には、段ボール箱や封筒に入らないこともあるが、商品が化粧品、文房具などの小物類の場合には、段ボールや封筒にそれらの商品を入れて配送させるなどしている。
【０００３】
そして、通信販売会社では、商品を宅配便で配送する際に、顧客から注文があった商品について納品明細書を見ながら配送品を確認して、それらの商品を段ボールに入れた後に、段ボール箱の封緘を行い、配送伝票を段ボール箱の所定位置に貼り込んで発送手続きを行なうといった処理を行っている。
【０００４】
また、多くの場合に、商品のサイズと段ボール箱のサイズとが同じではないために、段ボールの内部に隙間が生じることになり、その状態で配送処理が行われると、宅配便での輸送中に段ボール箱の中で商品が踊ってしまい、最悪の場合には、顧客に届けられた商品が破損してしまっていることも考えられる。
したがって、このように商品が破損するのを防止するために、段ボール箱に入れた商品と段ボール箱の壁との間に詰め物を入れたり、緩衝材と呼ばれる資材を隙間に入れるなどして商品が不必要に動かないようにしている。
これらの緩衝材については、既に種々の構造の緩衝材が公知となっている。（例えば、特許文献１〜５、参照）
【０００５】
【特許文献１】特開平６−１７１６７１号公報
【特許文献２】特開平７−２０６０４７号公報
【特許文献３】特開平８−１４３０６５号公報
【特許文献４】特開２００２−２５５１５７号公報
【特許文献５】特開２００５−７５３８０号公報
【０００６】
しかしながら、これらの緩衝材は、商品が届けられた後において不要物となり、ほとんどが廃棄されることになる。
このために緩衝材として従来頻繁に使用されている、所謂「エアキャップ」などの合成樹脂を原料とする緩衝材については、もともと高価であるのにもかかわらず、商品が届いてしまえば不要物として捨ててしまうために、経済的にも無駄であるだけでなく、資源の無駄使いや、環境保全などの問題があるなどから使用しにくい状況にあるという問題がある。
また、従来の緩衝材は、段ボール箱や封筒の中に入れる作業が必要であることから、商品と緩衝材とを入れる手間がかかり、商品の配送用意をする際に手間や時間がかかり面倒でもあるという問題がある。
【０００７】
また、従来、配送品には、配送先の宛先情報をラベル用紙などにプリント印字して、そのラベル用紙を包装用紙などに貼付するなどして配送しているが、これらの宛名ラベルを用いることは、資源の無駄使いでもあり、また環境保護の面でも好ましくなく、作業の効率性やコスト面でも好ましくないという問題がある。
【発明の開示】
【発明が解決しようとする課題】
【０００８】
そこで、本発明は、商品をそのまま入れたり、包んだりするだけで緩衝効果があり、更に、宛名ラベルを用いることなく、緩衝材の表面側に宛先情報などの個人情報が表示することができるようにして、資源の無駄使いや環境保護を促進し、自然環境にやさしい情報表示機能付き緩衝材を提供する。
【課題を解決するための手段】
【０００９】
上記の課題を達成するために、本発明の情報表示機能付き緩衝材は、表面に個人情報などが表示された情報表示部を有するシート状基材と、シート状の基材が繰り返し折り曲げられ規則的な凹凸部が形成され、更に前記凸部の頂点を中心とした近傍に平面部が形状されている緩衝用部材とを有し、前記緩衝用部材の上側に前記シート状基材が重ね合わされ、前記シート状基材の裏面側と前記緩衝用部材の前記平面部の上面とが剥離可能に接着されていることを特徴とする。
【００１０】
また、本発明の情報表示機能付き緩衝材は、前記シート状基材と前記緩衝用部材とが、天然パルプを原料とする紙、又は、自然環境内で分解性を有する合成樹脂フィルムであることを特徴とする。
【発明の効果】
【００１１】
本発明の情報表示機能付き緩衝材は、表面に個人情報が表示されたシート状基材と、シート状の基材が繰り返し折り曲げられ規則的な凹凸部が形成され、更に前記凸部の頂点を中心とした近傍に平面部が形状されている緩衝用部材とが、剥離可能に接着されているので、商品をそのまま入れたり、包んだりするだけで緩衝効果があり、更に、宛名ラベルを用いる必要がないので、資源の無駄使いや環境保護を促進し、自然環境にやさしいという効果がある。
【００１２】
また、本発明の情報表示機能付き緩衝材は、シート状基材と緩衝用部材とが、天然パルプを原料とする紙、又は、自然環境内で分解性を有する合成樹脂フィルムであるので、自然環境に害を与えることを防止することができるという効果がある。
【発明を実施するための最良の形態】
【００１３】
以下、本発明の実施形態に係る情報表示機能付き緩衝材について、図面に基づいて詳細に説明する。
図１は、本発明の実施形態に係る情報表示機能付き緩衝材の斜視図、図２は、図１のＡ−Ａ線断面図、図３は、本発明の実施形態に係る情報表示機能付き緩衝材を構成するシート状基材及び緩衝用部材の平面図である。
【００１４】
本発明の実施形態に係る情報表示機能付き緩衝材１は、図１に示すように、シート状の基材が繰り返し折り曲げられ規則的な凹凸部が形成され、更に前記凸部の頂点を中心とした近傍に平面部が形状されている緩衝用部材２と、表面に個人情報などが表示された情報表示部４を有するシート状基材３とを有し、緩衝用部材２の上側にシート状基材３が重ね合わされ、シート状基材３の裏面側と緩衝用部材２の平面部の上面とが接着された構成を有している。
シート状基材３の情報表示部４に表示される情報としては、例えば、緩衝材１で包んで配送する配送品の宛先情報である住所及び氏名や、配送品の受取人への伝達情報などである。
これらの情報をシート状基材３の表面に直接プリンタで印字して表示させてあるので、宛名ラベルを貼付する必要がないようにしてある。
更に、シート状基材３の表面に絵柄や画像を印刷などで表示させておくことで、包装紙で包んだのと同様の意匠的な効果が期待でき、情報表示機能付き緩衝材１を使用する企業などが自由に様々な表示させればよく、例えば、企業の販売商品やサービスなどの広告情報などを表示させておくことで宣伝効果をもたらすようにしてもよい。
【００１５】
緩衝用部材２は、図２に示すように、シート状の基材が繰り返し折り曲げられ規則的な凹凸部が形成され、更に前記凸部の頂点を中心とした近傍に平面部が形状されているので、緩衝用部材２の上側に等間隔で帯状の平面部２ａを有し、また緩衝用部材２の下側に等間隔で直線状の角部２ｂを有している。
これにより、緩衝用部材２の平面部２ａの表面上に、シート状基材３の裏面が重ね合わされて、緩衝用部材２の平面部２ａの表面に塗布された接着剤５で接着され一体化されている。
接着剤５によるシート状基材３と緩衝用部材２との接着は、両手の指でそれぞれシート状基材３と緩衝用部材２との隅部を別々に摘んで反対方向に引っ張った際に、シート状基材３から緩衝用部材２が分離できる程度で接着されている。
【００１６】
つまり、情報表示機能付き緩衝材１が使用された後に不要となった場合でも、シート状基材３を緩衝用部材２から簡単に分離して、配送品の受取人が、情報が表示されたシート状基材３だけを保存しやすいようにしてあり、更に、シート状基材３と緩衝用部材２との材質が異なる場合でも、分解することでリサイクル資源として回収しやすくしてある。
したがって、接着剤５によるシート状基材３と緩衝用部材２との接着は、接着剤５を塗布する面積部分を小さくしたり、また、剥離性を有する接着剤を用いるようにしてもよい。
【００１７】
また、この緩衝用部材２の下側に形成されている直線状の角部２ｂの大きさは、種々の寸法サイズとすることができる。
また、角部２ｂの大きさは、情報表示機能付き緩衝材１を使用して包み込む商品の材質などに応じて選択すればよく、任意に設定することができる。
例えば、緩衝材１で包み込む商品が、ガラス物のように衝撃で壊れてしまうような衝撃に弱い材質である場合には、形状の深さを大きくなるような構造にして、配送時にうっかりぶつけたりした場合でも、包装物が壊れないようにしたり、衝撃に対して強い材質の配送品の場合には、深さを浅くとるようにして選択をすることができる。
【００１８】
シート状基材３と緩衝用部材２とは、天然パルプを原料とする紙、又は、自然環境内で分解性を有する合成樹脂フィルムなどで構成されている。
シート状基材３と緩衝用部材２とを同質の材料を用いてもよいし、また異なる材料を用いても良く、異なる材料を用いた場合には、使用後にシート状基材３と緩衝用部材２とを分離させてリサイクル資源として回収し再利用させる。
これにより、商品を受け取った者が、その後に情報表示機能付き緩衝材１を廃棄した場合でも、緩衝材１から有害物質を発生させたりすることがなく、また緩衝材１を埋めたりして破棄した場合でも、自然環境内で分解するので自然環境に悪影響をもたらすことがないように配慮されている。
【００１９】
更に、図示していないが、緩衝用部材２の裏面側にも、所定部分に情報表示部が設けられ、企業の販売商品やサービスなどの広告情報などを表示させておくことで宣伝効果をもたらすようにしてもよい。
これにより、情報表示機能付き緩衝材１で商品などを包んで配送した後に、その配送物の受取人が包みを開けた場合にも、その裏側にも情報表示部に表示された広告情報などを見ることができるようにしてある。
【００２０】
本発明の情報表示機能付き緩衝材１は、そのまま内側に配送物を入れた状態として丸めて使用したり、また、所定の部分を折り返したり、複数の緩衝材１の所定部分を接着するなどして袋状や封筒状にして、その中に配送物を入れるなどして使用することで、配送物が凹凸形状を有する緩衝用部材２で衝撃から保護されるために、配送物が衝撃で破損される危険性が少ない。
【図面の簡単な説明】
【００２１】
【図１】本発明の実施形態に係る情報表示機能付き緩衝材の斜視図である。
【図２】図１のＡ−Ａ線断面図である。
【図３】本発明の実施形態に係る情報表示機能付き緩衝材を構成するシート状基材及び緩衝用部材の平面図である。
【符号の説明】
【００２２】
１  情報表示機能付き緩衝材
２  緩衝用部材
２ａ  平面部
２ｂ  角部
３  シート状基材
４  情報表示部
５  接着剤
【図１】
2008100758.tif 000003
【図２】
2008100758.tif 000004
【図３】
2008100758.tif 000005